(57)【特許請求の範囲】
【請求項１】
取付穴に埋め込まれて取り付けられる埋込型照明器具であって、
光源部と、
前記光源部に給電する電源部と、
前記電源部と外部商用電源とを電気的に接続する端子部と、
放熱部を有し、前記光源部と前記電源部と前記端子部とが搭載される器具本体と、
前記放熱部の一部を切り欠くように上下方向に対して傾斜して形成されたガイド部と、
略Ｖ字型の板バネであって一部が前記ガイド部に沿って配置される、前記埋込型照明器具を前記取付穴に固定するための取付バネとを備え、
前記光源部と前記電源部と前記端子部とは、略同一平面上で、且つ、平面視で互いに重ならない位置に配置される、埋込型照明器具。
【請求項２】
請求項１に記載の埋込型照明器具であって、
前記放熱部は前記略同一平面上に配置される、埋込型照明器具。
【請求項３】
請求項１に記載の埋込型照明器具であって、
前記器具本体は、前記取付穴より大きな外形の鍔部を有し、
前記光源部と前記電源部と前記端子部とが、前記鍔部の外形よりも内側に配置される、埋込型照明器具。
【請求項４】
請求項１から請求項３の何れか一項に記載の埋込型照明器具であって、
前記光源部の両側に前記電源部と前記端子部とが配置される、埋込型照明器具。
【請求項５】
請求項１から請求項４の何れか一項に記載の埋込型照明器具であって、
前記電源部と前記端子部とが取り付けられ、前記器具本体に取り付けられるカバー部材を備えた、埋込型照明器具。
【請求項６】
請求項１から請求項５の何れか一項に記載の埋込型照明器具であって、
前記端子部は、端子台であって、
前記端子台は、外部商用電源の配線が挿入される端子口を有し、
前記端子口は、径方向において前記器具本体の中心から最も離れた表面以外の表面に配置されている、埋込型照明器具。
【発明の詳細な説明】
【技術分野】
【０００１】
本発明は、埋込型照明器具に関する。
【背景技術】
【０００２】
従来、天井等に形成された取付穴に埋め込まれて取り付けられる埋込型照明器具（ダウンライト）が知られている（例えば、特許文献１、２参照）。
【０００３】
特許文献１には、放熱性能の向上と、既に天井に形成されている取付穴を利用して設置することとを目的として、各部材を上下方向に積み重ねた照明装置が開示されている。また、特許文献２には、設置場所の広さや形状等に合わせて電源ユニットを本体と一体で使用するか、分離して使用するかを選択可能な照明器具が開示されている。
【先行技術文献】
【特許文献】
【０００４】
【特許文献１】特許第４４２３５７４号公報
【特許文献２】特開２０１２−１２３９７９号公報
【発明の概要】
【発明が解決しようとする課題】
【０００５】
ところで、天井裏の構造によっては、従来の埋込型照明器具を設置するのに十分な高さ（厚み）を確保できない構造もある。したがって、このような場所に埋込型照明器具を設置するには、器具の更なる薄型化が必要となる。
【０００６】
しかしながら、特許文献１の技術では、装置本体の平面形状の大型化を防ぐために部材を上下方向に積み重ねているため、装置本体の高さが高くなっているので、薄型化には対応できていない。また、特許文献２の技術では、電源ユニットと本体とを分離して設置することで、電源ユニットと本体とを一体化して設置する場合と比較すれば薄型化になるが、光源や放熱フィン等の他の部材の配置は従来通りであるため、薄型化の程度が小さい。加えて、電源ユニットと本体とを分離した場合には、平面形状が取付穴よりも大きくなるので取り付けしにくくなる。
【０００７】
そこで、本発明は、上記課題に鑑みてなされたものであり、部材の配置を工夫することで薄型化した埋込型照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する埋込型照明器具は、
取付穴に埋め込まれて取り付けられる埋込型照明器具であって、
光源部と、
前記光源部に給電する電源部と、
前記電源部と外部商用電源とを電気的に接続する端子部と、
放熱部を有し、前記光源部と前記電源部と前記端子部とが搭載される器具本体と、
前記放熱部の一部を切り欠くように上下方向に対して傾斜して形成されたガイド部と、
略Ｖ字型の板バネであって一部が前記ガイド部に沿って配置される、前記埋込型照明器具を前記取付穴に固定するための取付バネとを備え、
前記光源部と前記電源部と前記端子部とは、略同一平面上で、且つ、平面視で互いに重ならない位置に配置されるものである。
【００１０】
本願に開示する埋込型照明器具において、
前記放熱部は前記略同一平面上に配置されるものであってもよい。
【００１１】
本願に開示する埋込型照明器具において、
前記器具本体は、前記取付穴より大きな外形の鍔部を有し、
前記光源部と前記電源部と前記端子部とが、前記鍔部の外形よりも内側に配置されるものであってもよい。
【００１２】
本願に開示する埋込型照明器具において、
前記光源部の両側に前記電源部と前記端子部とが配置されるものであってもよい。
【００１３】
本願に開示する埋込型照明器具において、
前記電源部と前記端子部とが取り付けられ、前記器具本体に取り付けられるカバー部材を備えたものであってもよい。
【００１４】
本願に開示する埋込型照明器具において、
前記端子部は、端子台であって、
前記端子台は、外部商用電源の配線が挿入される端子口を有し、
前記端子口は、径方向において前記器具本体の中心から最も離れた表面以外の表面に配置されているものであってもよい。
【発明の効果】
【００１６】
本発明の埋込型照明器具によれば、光源部と電源部と端子部とを略同一平面上で、且つ、平面視で互いに重ならない位置に配置することにより、薄型化することができる。
【図面の簡単な説明】
【００１７】
【図１】本発明の一実施形態に係る埋込型照明器具の上面側の斜視図である。
【図２】本発明の一実施形態に係る埋込型照明器具の下面側の斜視図である。
【図３】本発明の一実施形態に係る埋込型照明器具の上面図である。
【図４】本発明の一実施形態に係る埋込型照明器具の左側面図である。
【図５】本発明の一実施形態に係る埋込型照明器具の右側面図である。
【図６】図３のＡ−Ａ線断面図である。
【図７】本発明の一実施形態に係る埋込型照明器具の一方の取付バネを外した状態の斜視図である。
【図８】本発明の一実施形態に係る埋込型照明器具を被取付部に取り付けた状態の上面図である。
【図９】図８のＢ−Ｂ線断面図である。
【発明を実施するための形態】
【００１８】
本発明の実施形態に係る埋込型照明器具について、図１から図９を用いて説明する。本実施形態に係る埋込型照明器具は、天井等の被取付部に形成された取付穴に埋め込まれて取り付けられるダウンライトである。以下の説明では、埋込型照明器具の光を照射する側を埋込型照明器具の照射面側（下面側）とし、埋込型照明器具における取付穴に埋め込まれる側を埋込型照明器具の取付面側（上面側）として説明する。また、埋込型照明器具の上下方向は、埋込型照明器具が取付穴に設置された状態における上下方向として説明する。上下方向に直交する方向は径方向として説明する。また、本実施形態の説明において、上方から埋込型照明器具等を見た状態を平面視とする。上下方向に対して直交方向から埋込型照明器具等を見た状態を側面視とする。埋込型照明器具等の断面形状を見た状態を断面視とする。
【００１９】
図１は、埋込型照明器具１０の上面側の斜視図である。図２は、埋込型照明器具１０の下面側の斜視図である。図３は、埋込型照明器具１０の上面図である。図４は、埋込型照明器具１０の左側面図である。図５は、埋込型照明器具１０の右側面図である。図６は、図３のＡ−Ａ線断面図である。図７は、一方の取付バネを外した状態の埋込型照明器具１０の斜視図である。図８は、埋込型照明器具１０を被取付部に取り付けた状態の上面図である。図９は、図８のＢ−Ｂ線断面図である。
【００２０】
埋込型照明器具１０は、器具本体２０と、光源部３０と、電源部４０と、端子台５０と、カバー部材６０と、取付バネ７０とを主に備える。
【００２１】
器具本体２０は、埋込型照明器具１０の各部材を搭載する筐体である。器具本体２０は、高い放熱性能を得る観点から高熱伝導性材料で形成されることが好ましい。高熱伝導性材料としては、例えば、アルミニウム等の金属やその合金、各種樹脂、またはそれらの組み合わせを用いることができる。器具本体２０は一体品であり、一体成型品であってもよいし、複数の成形品を一体に結合したものであってもよい。本実施形態の器具本体２０は、アルミニウムの一体成型品に白色で塗装したものである。
【００２２】
器具本体２０は、光源部３０を収容する光源配置部２１と、光源部３０から発光される光を反射する反射部２２と、器具本体２０の外周を形成する円環状の鍔部２３と、電源部４０を配置する電源配置部２４と、端子台５０を配置する端子配置部２５と、埋込型照明器具１０で発生する熱を空気中に放散するための放熱フィン２６と、取付バネ７０を配置するためのガイド部２７とを主に備える。
【００２３】
光源配置部２１は、平面視で器具本体２０の中心部に位置する。光源配置部２１は、照射面側に開口する有底円筒状の内面を有する。光源配置部２１の内面に、光源部３０は配置される。光源配置部２１は、図６に示すように、上部に上板部２１ａを有している。上板部２１ａの下面には、光源部３０がネジ等で取り付けられる。上板部２１ａには、光源部３０に電気的に接続される配線（図示せず）を挿通するための貫通孔２１ｂが形成されている。なお、光源配置部２１の内面形状は、有底円筒状に限らず、上板部２１ａが楕円や多角形状である筒状であってもよく、また、円形や楕円形や多角形の平坦面などであってもよい。一方、上板部２１ａの取付面側の外形は、本実施形態では略長方形であるが、この形状にも特に限定はなく、円形や多角形であってもよい。
【００２４】
反射部２２は、光源配置部２１を中心にして下方に向かって開いた円錐台形状の光源用リフレクターである。反射部２２は、図６に示すように、断面視逆Ｖ字状の周壁部２２ａと、開口部２２ｂとを有している。周壁部２２ａは、光源配置部２１の下端から延設され、下方へ向かって笠状に広がる。周壁部２２ａの内周面は、光源部３０から発光される光を反射する反射面となっている。周壁部２２ａの内周面に、白色等の反射しやすい塗装や鏡面加工等の反射しやすい加工を施すことが好ましい。開口部２２ｂは周壁部２２ａの下端で囲まれた部分であり、光源部３０からの光が外部（下方）に向かって通過する部分である。
【００２５】
なお、光源部３０からの光を下方へ導くことができれば、反射部２２の内面形状には特に限定はなく、角錐台形状、放物面等の曲面形状などであってもよい。
【００２６】
鍔部２３は、周壁部２２ａの下端から径方向外側に突出して形成される円環状の部分である。鍔部２３には、埋込型照明器具１０を取付穴に設置した状態で取付穴の周縁部を覆う役割がある。よって、鍔部２３の外周縁は取付穴より大きく、鍔部２３の内周縁は取付穴より小さい。
【００２７】
本実施形態の鍔部２３の上面には周方向に沿って溝が形成されており、溝にゴム等の弾性体からなるパッキン２３１が接着されている。パッキン２３１の厚みは溝の深さより厚い。これにより、埋込型照明器具１０を取付穴に設置した際に、パッキン２３１が天井面に接触し、天井面と鍔部２３との隙間を塞ぐ。よって、防塵性と気密性とが向上する。なお、本実施形態では、鍔部２３の上面に溝を設けたが、設けなくとも良い。
【００２８】
また、鍔部２３は、器具本体２０において径方向で最も外側に位置する部分である。そして、放熱フィン２６と、光源部３０と、電源部４０と、端子台５０と、カバー部材６０とは、平面視で鍔部２３の外形よりも内側の領域に配置される。これにより、埋込型照明器具１０を取付穴に設置する際に、取付バネ７０を取付穴に嵌め込んだ後、器具本体２０を取付穴に対して垂直に嵌め込むことができるので、取り付け作業がしやすい。
【００２９】
なお、鍔部２３の外周形状には特に限定はなく、楕円形状や多角形状などであってもよい。取付穴は鍔部２３の形状に合わせて開ければよい。
【００３０】
電源部４０は、光源部３０と略同一平面上で、且つ、平面視で互いに重ならない位置に配置される。器具本体２０の上面（取付面側）には、光源配置部２１の側面部２１ｃの径方向外側に電源配置部２４を備える。電源配置部２４は、１つの第１側壁（図示せず）と、第１側壁の両端側から外側に延びる向かい合う２つの第２側壁２４ａとを有する。第1側壁は、光源配置部２１の側面部２１ｃより径方向外側の側面２４ｂを有する。電源配置部２４は、第１側壁と２つの第２側壁２４ａに３方を囲われた略直方体の空間を有し、電源部４０を収容できる大きさを有している。電源部４０は、第１側壁の側面２４ｂと２つの第２側壁２４ａとカバー部６０によって囲われて収容される。これにより、電源部４０は、光源部３０と平面視で互いに重ならない位置に配置される。また電源部４０は、光源部３０（ＬＥＤ素子３４）の配置される高さ位置Ｐと重なる位置、換言すると、電源部４０は光源部３０と略同一平面上に配置される（図６参照）。このように配置することにより、埋込照明器具１０を薄型化することができる。
【００３１】
また、略直方体の空間内に電源部４０を収容する際に、電源部４０の短手方向（寸法線Ｌ２に沿う方向）を埋込型照明器具１０の上下方向に一致させることで、埋込型照明器具１０を薄型化することができる。また、電源部４０は、図３に示すように、鍔部２３よりも器具本体２０の内側に配置されているため、埋込照明器具１０を径方向に大型化させない。
【００３２】
なお、電源配置部２４の形状には特に限定はなく、電源部４０の形状に合わせた形状とすることができる。
【００３３】
端子台５０は、光源部３０と電源部４０と略同一平面上で、且つ、平面視で互いに重ならない位置に配置される。端子台５０は、端子部の一例である。器具本体２０の上面（取付面側）には、光源配置部２１の一側面部２１ｃの外側に端子配置部２５を備える。端子配置部２５は、周壁部２２ａから上方へ突出した突起部２５ａを有する。突起部２５ａの上端は端子台５０の下面に当接して端子台５０を支持する。これにより、端子台５０は、光源部３０と電源部４０と平面視で互いに重ならない位置に配置される。また端子台５０は、光源部３０（ＬＥＤ素子３４）の配置される高さ位置Ｐと重なる位置、換言すると、端子台５０は光源部３０と電源部４０と略同一平面上に配置される（図６参照）。このように配置することにより、照明器具１０を薄型化することができる。
【００３４】
また、端子台５０の短手方向（寸法線Ｌ４に沿う方向）を埋込型照明器具１０の上下方向に一致させることで、埋込型照明器具１０を薄型化することができる。また、端子台５０は、図３に示すように、鍔部２３よりも器具本体２０の内側に配置されているため、埋込型照明器具１０を径方向に大型化させない。
【００３５】
なお、端子配置部２５の形状には特に限定はなく、端子台５０の形状に合わせた形状とすることができる。
【００３６】
放熱フィン２６は、器具本体２０の放熱性を向上させるための板状部材であり、光源部３０と略同一平面上に配置される。複数の板状部材からなる放熱フィン２６は、放熱部の一例である。光源配置部２１の径方向外側の４方には、電源配置部２４、端子配置部２６、放熱フィン２６が配置される。放熱フィン２６は、電源配置部２４と端子配置部２５が配置される２方を除く残りの２方に、それぞれ所定間隔で複数（本実施形態では一方にそれぞれ６つずつ）並設される。各放熱フィン２６は、器具本体２０の上面（取付面側）に上下方向に延在する。放熱フィン２６の下端は周壁部２２ａに接合され、上端は解放されている。放熱フィン２６は、器具本体２０の内側方向の側端は光源配置部２１の一側面に接合され、外側方向の側端は解放されている。このように放熱フィン２６を光源部３０と略同一平面上に配置することにより、埋込型照明器具１０を薄型化させることができる。
【００３７】
また、放熱フィン２６は、図３に示すように、鍔部２３よりも器具本体２０の内側に配置されているため、照明器具１０を径方向に大型化させない。
【００３８】
なお、放熱フィン２６の形状や数には特に限定はなく、折れ曲がった形状などであってもよい。また、光源配置部２１の上面にも放熱フィン２６を形成してもよく、さらに放熱性を高めることもできる。また、放熱フィン２６は器具本体２０の放熱性を向上させるための部材であり、必須の構成ではない。
【００３９】
ガイド部２７は、取付バネ７０の一部を沿わせて案内する部分であり、放熱フィン２６の一部を切り欠いて形成される斜面部分である（図７参照）。ガイド部２７が上下方向に対して傾斜していることにより、取付バネ７０の寸法が短くても取付バネ７０の径方向の可動領域を広くすることができる。これにより、短い寸法の取付バネ７０を採用しても、照明器具１０を取付面に取り付し易い。
【００４０】
本実施形態の埋込型照明器具１０では取付バネ７０を２つ備えるため、ガイド部２７も２箇所に形成されている。また、図７に示すように、ガイド部２７として１つの放熱フィン２６が切り欠かれているが、取付バネ７０の幅に合わせて、隣接する２つ以上の放熱フィン２６を切り欠いてガイド部２７を形成してもよい。
【００４１】
なお、ガイド部２７の斜面の形状や角度は取付バネ７０が沿えば特に限定はなく、平面形状の他に曲面形状などであってもよい。また、一部の放熱フィン２６を短く形成することで取付バネ７０の稼動領域を広く形成することもできる。
【００４２】
光源部３０は、光源配置部２１内に設けられ、埋込型照明器具１０の照射面側に向けて光を出射する部材である。光源部３０は、光源であるＬＥＤ素子３４と、ＬＥＤ素子３４を搭載したＬＥＤモジュール３１と、ＬＥＤモジュール３１からの出射光を透光させる透光性カバー３２とを主に備える。
【００４３】
ＬＥＤモジュール３１は、点光源である１つまたは複数のＬＥＤ素子３４を搭載した平板状の基板が樹脂製の筐体に収容されて構成されるモジュールである。ＬＥＤ素子３４に対向するレンズが配置されていてもよい。ＬＥＤモジュール３１は、光源配置部２１の上板部２１ａの下面に当接するように配置され、ネジ等により取り付けられる。ＬＥＤモジュール３１からの配線は、光源配置部２１の貫通孔２１ｂを介して電源部４０に接続されている。
【００４４】
本実施形態では、ＬＥＤモジュール３１の光軸に沿う方向である光軸方向が、埋込型照明器具１０の上下方向に一致する。また、光軸が器具本体２０の中心軸と一致する。なお、光軸方向が埋込型照明器具１０の上下方向に一致しない形態、光軸が器具本体２０の中心と一致していない形態でもよい。
【００４５】
ＬＥＤ素子３４は、点灯時に発熱する。ＬＥＤ素子３４から発する熱は、基板に伝わる。基板に伝わった熱は、基板が光源配置部２１の上板部２１ａの下面に当接しているため、器具本体２０に伝わる。
【００４６】
なお、本実施形態では、光源として表面実装型のＬＥＤ素子を用いたが、光源の種類は表面実装型のＬＥＤ素子に限定されず、例えばＣＯＢ型発光モジュールや有機ＥＬ素子（ＯＬＥＤ）などであってもよい。また、基板は、熱伝導性シートや放熱グリスを介して光源配置部２１に取り付けてもよく、これにより、より高い放熱性を得ることができる。また、本実施形態の光源部３０は、透光性カバー３２を備えているが、透光性カバー３２は必ずしも必要ではない。例えば、透光性カバー３２を設けずに、器具本体２０の開口２２ｂにパネルを取り付けたり、ＬＥＤモジュール３１の充電部を樹脂部材等の絶縁体で覆ってもよい。
【００４７】
透光性カバー３２は、平面視が円形形状で外形がドーム状の部材である。透光性カバー３２は、透光性を有する樹脂素材等で形成されている。透光性カバー３２は、ＬＥＤモジュール３１を覆うように光源配置部２１に嵌め込まれている。透光性カバー３２は、ＬＥＤモジュール３１からの出射光を反射及び拡散させつつ、外部へ配光する。
【００４８】
なお、透光性カバー３２の形状はドーム状に限定されることはなく、円筒状や角筒状などであってもよい。また、透光性カバー３２は、ＬＥＤモジュール３１との間の空間を埋めるような形状としてもよい。また、透光性カバー３２は、反射部２２又は鍔部２３まで覆うような形状としてもよい。
【００４９】
また、透光性カバー３２の厚さは、用途に応じて適宜変更してもよく、例えば、光軸が通過する中央部の厚さを変更してレンズ機能を有するように構成することもできる。また、透光性カバー３２には、様々な機能を付与する添加剤や着色剤等を含有させることができる。例えば、酸化防止剤、紫外線吸収剤、難燃剤、防汚剤等を含有させることができる。
【００５０】
電源部４０は、ＬＥＤモジュール３１に給電し、ＬＥＤ素子を点灯させるための電源装置である。より具体的には、電源部４０は、外部商用電源から供給される交流電流を所定の直流電流に変換し、変換後の電流をＬＥＤモジュール３１に供給するためのものである。
【００５１】
電源部４０は、直方形状に加工されたプリント配線基板上に複数の電子部品が実装された電源回路で構成される。電源部４０は絶縁シートで覆われて電源配置部２４に配置される。電源部４０からの配線（図示せず）は、カバー部材６０と光源配置部２１の上面との間の空間、つまり光源配置部２１の上面に配置されて端子台５０と接続される。また、光源部３０と電源部４０とを接続する配線は（図示せず）、カバー部材６０と光源配置部２１の上面との間の空間及び貫通孔２１ｂを通じてＬＥＤモジュール３１に接続される。
【００５２】
プリント配線基板上の複数の電子部品には、動作時に発熱する部品が含まれている。電子部品が発する熱は、プリント配線基板から絶縁シートに伝わり、器具本体２０やカバー部材６０に伝わる。器具本体２０やカバー部材６０に伝わった熱は、さらに周囲の空気へ放熱される。
【００５３】
端子台５０は、電源部４０と外部商用電源とを電気的に接続する中継部材である。端子台５０は、本実施形態ではカバー部材６０の外面に取り付けられるが、器具本体２０に直接取り付けてもよい。端子台５０は、絶縁性及び防塵性の観点から樹脂カバーで覆われていることが好ましい。
【００５４】
端子台５０は、外部商用電源からの配線８０が挿入される端子口５０ａを有する。端子口は、径方向において器具本体２０の中心から最も離れた表面（本実施形態では、表面５０ｂ）以外の表面に配置される。本実施形態では、端子口５０ａを表面５０ｃに配置した。このとき、端子口５０ａは、端子台５０近傍の器具本体２０の外周縁に沿った方向に開口している。器具本体２０の外周縁は、本実施形態では、鍔部２３の外周縁に相当する。
【００５５】
本実施形態における端子口５０ａは、図２に示される端子台５０において表面５０ｃに配置される。これにより、外部商用電源からの配線８０を端子口５０ａに接続した際に、端子口５０ａと接続した配線８０の配置できる反射部２２の上方空間を広く設けることができる。図８、図９に示される厚みのある被取付部Ｃに埋込型照明器具１０を取り付けた場合、端子台５０の一部は取付穴Ｈ内に配置される。このとき端子口５０ａの一部は取付穴Ｈ内に配置されるため、商用電源からの配線８０も取付穴Ｈ内に引き込む必要がある。端子口５０ａと被取付部Ｃ（取付穴Ｈを形成する内面）との間にある程度の空間がなければ、商用電源からの配線８０を急な角度に折り曲げて引き込まなければならず、埋込型照明器具１０を被取付部Ｃに取り付けにくい。また、配線８０を急な角度に折り曲げて取付穴Ｈ内に引き込むことは、配線８０に対して大きな負荷を与えてしまう。本実施形態の端子台５０は、器具本体２０から最も離れた表面５０ｂではない表面５０ｃに端子口５０ａを配置しているため、厚みのある被取付部Ｃに埋込型照明器具１０を取り付けても配線８０を緩やかな傾斜で取付穴Ｈに引き込むことができる。そのため、埋込型照明器具１０を被取付面Ｃに取り付けしやすい。また、配線８０に対して大きな負荷を与えにくい。
【００５６】
このように、端子口５０ａ付近の配線８０を急な角度に折り曲げなくとも径方向外側にはみ出しにくいので、埋込型照明器具１０を取付穴Ｈに挿入する際に端子口５０ａ付近の配線８０が邪魔になることがなく取り付けしやすい。また、端子口５０ａ付近の配線８０が上方にはみ出していないので、天井裏の高さが低い場合でも配線が邪魔になることがなく取り付けることができる。
【００５７】
カバー部材６０は、器具本体２０の一部を覆うことで光源配置部２１及び電源配置部２４に虫や埃等が侵入することを防止する部材である。また、カバー部材６０は、端子台５０を支持する部材でもある。
【００５８】
カバー部材６０は、高い放熱性能を得る観点から高熱伝導性材料で形成されることが好ましい。高熱伝導性材料としては、例えば、アルミニウム等の金属やその合金、各種樹脂、またはそれらの組み合わせを用いることができる。
【００５９】
本実施形態のカバー部材６０は、板金材料を折り曲げ加工して形成した断面Ｕ字型の部材である。カバー部材６０は、略直方形状の平板を短手方向に平行な２箇所で直角に折り曲げたものであり、上板部６０ａと、上板部６０ａの一端から下方へ向かって延在する第１側板部６０ｂと、上板部６０ａの他端から下方へ向かって延在する第２側板部６０ｃとで構成される。
【００６０】
カバー部材６０は、上板部６０ａに形成された２つの貫通孔６０ｄを用いて、取付バネ７０とともに器具本体２０に固定される。上板部６０ａは光源配置部２１及び電源配置部２４の上面側を覆い、第１側板部６０ｂは電源配置部２４の外側面側を覆う。第２側板部６０ｃの外面には、端子台５０がネジ等の固定部材によって取り付けられる。第２側板部６０ｃは、光源配置部２１の端子台配置部２５側の側面部２１ｃより外側に配置されて、端子台５０を所望の位置に配置する。このとき、端子台５０の上面と上板部６０ａの上面とが略面一になるように配置される。端子台５０からの配線は、第２側板部６０ｃに形成された貫通孔（図示せず）を通じてカバー部材６０と光源配置部２１の上面との間の空間に導かれ、電源部４０に接続される。
【００６１】
なお、カバー部材６０の形状には特に限定はなく、少なくとも光源配置部２１及び電源配置部２４を覆う形状であればよい。また、光源配置部２１を覆うカバー部材と電源配置部２４を覆うカバー部材とを別体としてもよい。また、カバー部材６０が、端子台５０も覆うような構成としてもよい。
【００６２】
取付バネ７０は、埋込型照明器具１０を取付穴に埋め込んだ状態で固定するための固定手段である。取付バネ７０は、器具本体２０に略均等に複数（本実施形態では２つ）配置される。取付バネ７０は、ステンレス等の板状金属部材の中途部を複数箇所屈曲及び湾曲させて形成した略Ｖ字型の板バネである。
【００６３】
本実施形態の取付バネ７０は、一端に形成された貫通孔を用いて、カバー部材６０とともに器具本体２０にネジ等の固定部材によって固定される。そして、取付バネ７０は、ガイド部２７に沿って、取付バネ７０の固定位置近傍から斜め下方に向かって形成されている。
【００６４】
埋込型照明器具１０を取付穴に埋め込む際に、取付バネ７０は折り畳まれる。このとき、放熱フィン２６の一部を切り欠くようにガイド部２７が上下方向に対して傾斜して形成されていることにより、取付バネ７０の自由端の稼動できる範囲を広くすることができる。このため、取付バネ７０の寸法が短くても取付バネ７０の径方向の可動領域を広くすることができる。また、短い寸法の取付バネ７０を用いることで、埋込型照明器具１０の薄型化や小型化を図ることができる。
【００６５】
なお、取付バネ７０の形状、取付位置、本数等については、本実施形態のものに限定されない。
【００６６】
次に、光源部３０と、電源部４０と、端子台５０と、放熱フィン２６の埋込型照明器具１０における配置について説明する。光源部３０と電源部４０と端子台５０とは、略同一平面上で、且つ、平面視で互いに重ならない位置に配置される。「略同一平面」とは、例えば、器具本体２０における光源部３０の高さ位置を通る径方向に広がる平面を基準平面とすることができる。本実施形態では、光源であるＬＥＤ素子３４の高さ位置（図６における高さ位置Ｐ）を通る径方向に広がる平面を基準平面としたが、ＬＥＤモジュール３１や透光性カバー３２の上端から下端までの高さ範囲を通る径方向に広がる平面を基準平面とすることもできる。
【００６７】
このように、埋込型照明器具１０において、光源部３０や電源部４０といった大きな容積の部材を略同一平面上に、且つ、平面視において互いに重ならないように配置することにより、埋込型照明器具１０の上下方向の厚みを薄型化することができる。また、主な発熱部材である光源部３０と電源部４０とが平面視で重ならない位置に配設されるため、互いから発生する熱の影響を受けにくい。
【００６８】
放熱フィン２６は、光源部３０と電源部４０と端子台５０と略同一平面上に配置される。「略同一平面」とは、例えば、器具本体２０における光源部３０の高さ位置を通る径方向に広がる平面を基準平面とすることができる。本実施形態では、光源であるＬＥＤ素子３４の高さ位置（図６における高さ位置Ｐ）を通る径方向に広がる平面を基準平面としたが、ＬＥＤモジュール３１や透光性カバー３２の上端から下端までの高さ範囲を通る径方向に広がる平面を基準平面とすることもできる。
【００６９】
また、光源部３０と、電源部４０と、端子台５０と、放熱フィン２６とは、器具本体２０における鍔部２３の外形よりも平面視で内側に配置されている。そのため、埋込型照明器具１０を径方向に大型化させない。また、埋込型照明器具１０を取付穴に設置する際に、取付バネ７０を取付穴に嵌め込んだ後、器具本体２０を取付穴に対して垂直に嵌め込むことができるので、取り付け作業がしやすい。
【００７０】
また、光源部３０の両側に電源部４０と端子台５０とが配置されることが好ましい。本実施形態では、ＬＥＤモジュール３１を中心とする直径上の両側に電源部４０と端子台５０とが配置されている。これにより、埋込型照明器具１０の中心部に光源部３０を配置する設計の場合に、省スペースで電源部４０と端子台５０とを配置することができ、埋込型照明器具１０の平面形状を小さくすることができる。また、このような配置は、端子台５０が電源部４０から発生する熱の影響を受けにくい。
【００７１】
上記の実施形態の変形例として、電源部４０と端子台５０とが取り付けられたカバー部材６０を、器具本体２０に取り付ける形態であってもよい。さらに、ＬＥＤモジュール３１等の光源もカバー部材６０に取り付ける形態であってもよい。このような形態によれば、埋込型照明器具１０の組み立て作業において、電源部４０、端子台５０、ＬＥＤモジュール３１といった配線が必要な電気部品をカバー部材６０に組み付けた後、カバー部材６０ごと器具本体２０に組み付けることができるので、作業効率が向上する。この場合、光源配置部２１は、例えば、上板部２１ａをなくし、器具本体２０の上下方向に貫通する円筒形状とすればよい。
【符号の説明】
【００７２】
１０  埋込型照明器具
２０  器具本体
２３  鍔部
２６  放熱フィン（放熱部）
２７  ガイド部
３０  光源部
３１  ＬＥＤモジュール
３４  ＬＥＤ素子
４０  電源部
５０  端子台（端子部）
５０ａ  端子口
６０  カバー部材
７０  取付バネ
【図１】
0006569935.tif 000002
【図２】
0006569935.tif 000003
【図３】
0006569935.tif 000004
【図４】
0006569935.tif 000005
【図５】
0006569935.tif 000006
【図６】
0006569935.tif 000007
【図７】
0006569935.tif 000008
【図８】
0006569935.tif 000009
【図９】
0006569935.tif 000010